(57)【要約】【課題】装用者のニーズに基づいて選択されるレンズ要素の列を提供する。【解決手段】累進めがねレンズ要素は、レンズ装用者の少なくとも２つのライフスタイル及び／又はバイオメトリック・パラメータのある範囲の値又はカテゴリーに対して、少なくとも２つのレンズ設計パラメータが、ライフスタイル及び／又はバイオメトリック・パラメータの特定の各値又はカテゴリーに起因又は関連した各値又は特性をそれぞれ有する、異なる累進レンズ設計を提供する。レンズ装用者の少なくとも１つのバイオメトリック・パラメータの値又はカテゴリーが、レンズ装用者の、ａ．単眼瞳孔間距離、ｂ．読書距離、及びｃ．読書作業中の装用者の頭部動作及び／又は眼球動作カテゴリーを含む装用者の視認行動パターンのいずれか１つの値又はカテゴリーを含む。【選択図】図２
2015004988.tif 000002
【特許請求の範囲】
【請求項１】
実質的に同一の加入度及び実質的に同一の遠用視力の視力処方を有する累進めがねレンズ要素の列であって、それぞれが、
遠用視力用の屈折度を提供する遠用領域と、 
近用視力用の屈折度を提供する近用領域と、
前記遠用領域の屈折度から前記近用領域の屈折度へと変化する屈折度を有し、前記遠用領域に前記近用領域を連結する累進帯とを規定する一組のレンズ設計パラメータによって特徴付けられる累進レンズ設計を有し、
レンズ装用者の少なくとも１つのライフスタイル・パラメータ及びバイオメトリック・パラメータの値又はカテゴリーの範囲に対して、少なくとも２つのレンズ設計パラメータが各ライフスタイル・パラメータ及びバイオメトリック・パラメータの特定の値又はカテゴリーに起因又は関連した各値又は特性をそれぞれ有する、異なる累進レンズ設計を提供し、
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターンのいずれか１つの値又はカテゴリーを含む、累進めがねレンズ要素の列。
【請求項２】
前記少なくとも２つのレンズ設計パラメータが、
ａ．遠用−近用領域サイズ・バランス、
ｂ．累進帯長、
ｃ．近用基準点挿入（ＮＲＰ）、及び
ｄ．中心−周辺領域サイズ・バランス
から成るグループから選択される、請求項１に記載の累進めがねレンズ要素の列。
【請求項３】
前記少なくとも２つのレンズ設計パラメータの各値又は特性が、前記列と関連した値又は特性の各範囲からのものである、請求項２に記載の累進めがねレンズ要素の列。
【請求項４】
前記遠用−近用領域サイズ・バランスの値の範囲が、前記遠用領域及び／又は前記近用領域の２０°から−１６°迄の範囲内の絶対角度サイズの変化量と等しい、請求項３に記載の累進めがねレンズ要素の列。
【請求項５】
前記遠用−近用領域サイズ・バランスの値の範囲が、前記遠用領域及び／又は前記近用領域の３０°超の絶対角度サイズの変化量と等しい、請求項３に記載の累進めがねレンズ要素の列。
【請求項６】
周辺ぼやけパラメータの分布が、前記遠用−近用領域サイズ・バランスの変化量の範囲にわたって実質的に一定のままである、請求項３に記載の累進めがねレンズ要素の列。
【請求項７】
前記中心−周辺領域サイズ・バランス値の範囲が、約１０５°から約１４０°の範囲にわたって前記遠用領域の角度サイズを変えることによって提供される、請求項３に記載の累進めがねレンズ要素の列。
【請求項８】
前記中心−周辺領域サイズ・バランス値の範囲が、約４０°から約７５°の範囲にわたって前記近用領域の角度サイズを変えることによって提供される、請求項３に記載の累進めがねレンズ要素の列。
【請求項９】
レンズ装用者の少なくとも１つのライフスタイル・パラメータが、
ａ．近用視力必要度、
ｂ．動体視力必要度、
ｃ．コンピュータ使用頻度、及び
ｄ．装用者の仕事及び／又は余暇のパターン
の値又はカテゴリーの範囲を含む、請求項１又は２に記載の累進めがねレンズ要素の列。
【請求項１０】
前記レンズ装用者の少なくとも１つのライフスタイル・パラメータのそれぞれの値又はカテゴリーの範囲が、レンズ装用者の集団のスコアの各範囲を含む、請求項９に記載の累進めがねレンズ要素の列。
【請求項１１】
各累進めがねレンズ要素の前記遠用−近用領域サイズ・バランスが、レンズ装用者の近用視力必要度の範囲からの近用視力必要度に起因又は関連した各値又はカテゴリーを有する、請求項１０に記載の累進めがねレンズ要素の列。
【請求項１２】
前記レンズ装用者の少なくとも１つのバイオメトリック・パラメータのそれぞれの値又はカテゴリーの範囲がスコアの各範囲を含む、請求項１に記載の累進めがねレンズ要素の列。
【請求項１３】
各累進めがねレンズ要素の前記累進帯長が、レンズ装用者の集団で得られたレンズ装用者の眼球動作スコアの範囲からのレンズ装用者の眼球動作スコアに起因又は関連する各値又は特性を有する、請求項１２に記載の累進めがねレンズ要素の列。
【請求項１４】
各累進めがねレンズ要素の前記中心領域サイズ・バランスが、レンズ装用者の集団のレンズ装用者の頭部動作及び／又は眼球動作スコアの範囲からの頭部動作及び／又は眼球動作スコアに起因又は関連する各値又は特性を有する、請求項１２に記載の累進めがねレンズ要素の列。
【請求項１５】
各累進めがねレンズ要素の前記近用基準点挿入が、レンズ装用者の集団の読書距離スコアの範囲からの読書距離スコアに起因又は関連する各値又は特性を有する、請求項１２に記載の累進めがねレンズ要素の列。
【請求項１６】
前記列に含まれる各累進めがねレンズ要素が実質的に同一の装着位置（ＰＯＷ）特性を有する、請求項１に記載の累進めがねレンズ要素の列。
【請求項１７】
前記装着位置特性が、
ａ．角膜頂点間距離、
ｂ．フレーム前傾角、及び
ｃ．フレーム・ラップ角のいずれか１つを含む、請求項５に記載の累進めがねレンズ要素の列。
【請求項１８】
前記列に含まれる各累進めがねレンズ要素が、２つのパラメータの少なくとも１つが、レンズ装用者が装着する累進めがねレンズ要素を支持するためのフレームのサイズ及び／又は形状情報に起因する少なくとも１つの値又は特性を有する累進レンズ設計を含む、請求項１に記載の累進めがねレンズ要素の列。
【請求項１９】
前記累進めがねレンズ要素が異なる累進レンズ設計を指示又は識別するため指数を割り当てられている、請求項１に記載の累進めがねレンズ要素の列。
【請求項２０】
実質的に同一の遠用視力の視力処方を有する累進めがねレンズ要素の系であって、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域と前記近用領域を連結する累進帯とを含み、
累進めがねレンズ要素の複数の列を含み、系内の各列は実質的に同一の加入度及び遠用視力処方を有する累進めがねレンズ要素を含み、系内の異なる列からの累進めがねレンズ要素は異なる加入度を有し、
各列の累進めがねレンズ要素は、レンズ装用者の少なくとも１つのライフスタイル・パラメータ及びバイオメトリック・パラメータの値又はカテゴリーの範囲に対して、少なくとも２つのレンズ設計パラメータが各ライフスタイル・パラメータ及びバイオメトリック・パラメータの特定の値又はカテゴリーに起因又は関連した各値又は特性をそれぞれ有する、異なる累進レンズ設計を提供し、
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターンのいずれか１つの値又はカテゴリーを含む、累進めがねレンズ要素の列。
【請求項２１】
系内の複数の列を組み合わせて加入度の範囲を提供するように、同一の系内の累進めがねレンズ要素の各列間の加入度の差異を増分的に変化させる、請求項２０に記載の累進めがねレンズ要素の系。
【請求項２２】
前記加入度が０．２５Ｄの増分で０．７５Ｄから３．５Ｄの範囲にわたって増分的に変化する、請求項２１に記載の累進めがねレンズ要素の系。
【請求項２３】
累進めがねレンズ要素のマトリックスであって、前記累進めがねレンズ要素が、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域と前記近用領域を連結する累進帯とを含み、前記マトリックスが、
累進めがねレンズ要素の複数の系を含み、各系は、実質的に同一の遠用視力の視力処方を有する累進めがねレンズ要素の１つ又は複数の列を含み、系内の各列は、実質的に同一の加入度を有する累進めがねレンズ要素を含み、系内の異なる列からの累進めがねレンズ要素は異なる加入度を有し、
列内の各累進めがねレンズ要素は、レンズ装用者の少なくとも１つのライフスタイル・パラメータ及び少なくとも１つのバイオメトリック・パラメータの異なる特定の値又はカテゴリーに起因又は関連する各値又は特性を有する少なくとも２つのパラメータを含む累進レンズ設計を含み、
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターンのいずれか１つの値又はカテゴリーを含む、累進めがねレンズ要素のマトリックス。
【請求項２４】
レンズ装用者に累進めがねレンズ要素を処方する方法であって、
少なくとも１つのライフスタイル・パラメータ及び少なくとも１つのバイオメトリック・パラメータを含む、レンズ装用者の少なくとも２つのパラメータの値又はカテゴリーを入手する段階と、
入手された値又はカテゴリーを累進レンズ設計の列に割り当て、各設計は実質的に同一の加入度及び実質的に同一の遠用視力の視力処方を有し、各設計は少なくとも１つのライフスタイル・パラメータ及び少なくとも１つのバイオメトリック・パラメータの異なる特定の値又はカテゴリーに起因及び／又は関連する各値又は特性を有する少なくとも２つのレンズ設計パラメータを含む段階と、
取得されたレンズ装用者の値又はカテゴリーと関連する値又は特性を備えた２つのレンズ設計パラメータを有する累進レンズ設計を列から検索する段階とを含む方法であって、
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターンのいずれか１つの値又はカテゴリーを含む方法。
【請求項２５】
累進レンズ設計の少なくとも２つの設計パラメータが、
ａ．遠用−近用領域サイズ・バランス、
ｂ．累進帯長、
ｃ．近用基準点挿入（ＮＲＰ）、及び
ｄ．中心−周辺領域サイズ・バランス
から成るグループから選択される、請求項２４に記載の方法。
【請求項２６】
レンズ装用者の少なくとも１つのライフスタイル・パラメータの値又はカテゴリーが、レンズ装用者の、
ａ．近用視力必要度、
ｂ．動体視力必要度、
ｃ．コンピュータ使用頻度、及び
ｄ．装用者の仕事及び／又は余暇のパターンのいずれか１つの値又はカテゴリーを含む、請求項２４又は２５に記載の方法。
【請求項２７】
前記列内に含まれる各累進めがねレンズ要素が装用者の実質的に同一の装着位置（ＰＯＷ）特性を有する、請求項２４に記載の方法。
【請求項２８】
前記装着位置特性が、
ａ．角膜頂点間距離、
ｂ．フレーム前傾角、及び
ｃ．フレーム・ラップ角のいずれか１つを含む、請求項２７に記載の方法。
【請求項２９】
前記列内の各累進めがねレンズ要素が、レンズ装用者が装着する累進めがねレンズ要素を支持するためのフレームのサイズ及び／又は形状情報に起因又は関連する少なくとも１つの値又は特性を有するパラメータを含む累進レンズ設計を含む、請求項２４に記載の方法。
【請求項３０】
レンズ装用者に累進めがねレンズ設計を処方するシステムであって、
プロセッサと、
前記プロセッサによって実行するための命令でプログラムされたメモリと、 
ユーザ入力デバイスと、
ユーザ出力デバイスとを含み、
前記命令は前記プロセッサによって、
少なくとも１つのライフスタイル・パラメータ及び少なくとも１つのバイオメトリック・パラメータを含む少なくとも２つのレンズ装用者のパラメータの値又はカテゴリーを、前記ユーザ入力デバイスを通して受け入れ、
実質的に同一の加入度及び実質的に同一の遠用視力の視力処方を有し、各設計がライフスタイル・パラメータ及びバイオメトリック・パラメータの異なる特定の値又はカテゴリーに関連する各値又は特性を有する少なくとも２つの設計パラメータを含む、累進めがねレンズ要素設計の列内に前記値又はカテゴリーを割り当て、
入力されたレンズ装用者のライフスタイル・パラメータ及びバイオメトリック・パラメータの値又はカテゴリーに起因又は関連する少なくとも２つのパラメータのそれぞれの値を含む累進レンズ設計を有する累進レンズ設計を列から検索し、
選択された累進レンズ設計を前記ユーザ出力デバイスを通して出力するように実行可能であるシステムであって、
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターンのいずれか１つの値又はカテゴリーを含む、システム。
【請求項３１】
累進めがねレンズ要素設計の列のコンピュータ読み取り可能なデータを保存するコンピュータ読み取り可能な媒体であって、各設計が実質的に同一の加入度及び実質的に同一の遠用視力の視力処方を有し、レンズ装用者の少なくとも２つのライフスタイル・パラメータ及び／又はバイオメトリック・パラメータの値又はカテゴリーの範囲からのレンズ装用者の少なくとも１つのライフスタイル・パラメータ及び少なくとも１つのバイオメトリック・パラメータの特定の値又はカテゴリーに関連する各値又は特性を有する少なくとも２つのレンズ設計パラメータを含む媒体であって、
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターンのいずれか１つの値又はカテゴリーを含む、媒体。
【発明の詳細な説明】
【技術分野】
【０００１】
本出願は、２００５年５月５日に出願したオーストラリア国特許仮出願第２００５９０２２６９号の優先権を主張し、参照によって当該出願の内容を本願明細書に採用する。
【０００２】
本発明は、累進めがねレンズ要素の列、特にレンズ装用者のライフスタイル及び／又はバイオメトリック・パラメータに起因又は関連した、累進レンズ設計を有する累進めがねレンズ要素の列に関する。
【背景技術】
【０００３】
従来の累進加入レンズ要素は、上方視野領域（「遠用領域」）、下方視野領域（「近用領域」）、及びそれらの間で遠用領域から近用領域へと境目又はプリズム変化なしに度数が徐々に変化する累進帯（「中間領域」）を有する、一体型レンズである。
【０００４】
累進めがねレンズは初期には設計が幾分未熟であったが、この数十年間にわたり一貫して性能の進歩を遂げてきた。そのような性能の進歩は、このカテゴリーのレンズに対する患者の需要を大幅に拡大する要因となり、そのため現在ではレンズの処方者及び製造業者は、多数の様々な累進レンズの設計を提供するようになった。したがって、処方者は装用者に処方することのできる多数のレンズ設計を利用することが可能である。
【０００５】
レンズ装用者のための累進めがねレンズ要素を処方する１つの方法には、半完成のレンズ要素の系から半完成の累進レンズ要素を選択する方法がある。一般的に、系内の半完成の累進レンズ要素の各レンズ要素は、ある範囲の累進面パラメータを有する累進の前面及び球面の後面を有する。
【０００６】
レンズ装用者の老眼度数は様々に異なるため、異なる設計の半完成レンズ要素が、一般に０．２５Ｄの増分で０．７５Ｄから３．５０Ｄ（すなわち、各系に１２の異なるレンズ設計）である異なる加入度に提供される。さらに、老眼用の汎用ソリューションを目的とした単一製品は、一般に−１０．００Ｄから＋６．００Ｄ以上の幅広い処方の視力を矯正することができる必要がある。しかし、単一のベースカーブで満たすことのできる光学部品では、必要とされるより狭い範囲の処方度数にしか対応できないので、レンズ製造業者は一般に、この必要性を満たすために、ある範囲のレンズ要素の系ないしベースカーブを作成する。
【０００７】
一般に、累進加入レンズ（ＰＡＬ）製品では、４つから８つの系のレンズを使用することができる。さらに、各系は一般に、特定のベースカーブ及びある範囲の加入度を有する、累進レンズ要素又はレンズ設計を含む。したがって、半完成のレンズ要素を選択することから始まる処方プロセスに関して、１つの従来技術プロセスでは、レンズ装用者の遠用視力の必要条件に合わせて推奨されるベースカーブを有するレンズ要素の系を選択し、次いでその系内からレンズ装用者に適した加入度を有するレンズ要素を選択する。最後に、レンズ装用者の処方要件に合う累進レンズ要素を完成させるように、処方面を加えることによって選択されたレンズ要素が完成する。
【０００８】
しかし、半完成のレンズ要素の系に含まれる累進めがねレンズ要素には、それぞれの「ベースカーブ」の系には、それぞれの加入度に対して単一の累進レンズ要素、したがって単一の累進面設計しか利用することができないという、ある程度の制限がある。したがって、系内の累進レンズ要素の各累進面を、特定のレンズ装用者に最適化することができない。
【０００９】
近年、半完成レンズ要素を修正する必要のない自由曲面法によって製造することができる累進めがねレンズが開発されてきた。このタイプの累進レンズでは、同一のレンズ面（例えば後面）、又は異なるレンズ面（例えば前面及び後面）に、多焦点面と処方面を組み合わせることができる。
【００１０】
ある範囲の累進めがねレンズ要素から個々の装用者が利用可能な特定の累進レンズ要素を選択し、次いで選択されたレンズ要素をフレームに合わせて装用者が使用するための眼鏡を作製することは、最終的な眼鏡の有効性、したがって眼鏡に対するレンズ装用者の満足度にとって、非常に重要である。
【００１１】
しかし、多数の累進めがねレンズ製品が市場に流通しており、設計パラメータには無限に近い組合せや変更があり、レンズを使用して行うことのできる作業は多様であることを考えると、個々の装用者のニーズにとって適切なレンズ設計を選択すること（処方者の立場から）、又はそのようなレンズを設計すること（設計者の立場から）は、ある程度困難であると認識されている。したがって、装用者に対して累進レンズを選択するとき、多くの処方者は、人気があり信頼性の高いレンズ設計を合わせているので、装用者のニーズに基づいて選択されるレンズを合わせる機会を逸している。
【００１２】
レンズ装用者のライフスタイル及び／又はバイオメトリック・パラメータの値又はカテゴリーに起因又は関連した、累進レンズ設計を有する累進レンズ要素の列を提供し、それによって処方者が、レンズ装用者から提供され又は入手したライフスタイル及び／又はバイオメトリックに関する一連の情報に基づいて、少なくとも適切な累進めがねレンズ要素を推奨する助けとなるようにすることが有用である。
【発明の概要】
【発明が解決しようとする課題】
【００１３】
一般に本発明は、実質的に同一の加入度及び実質的に同一の遠用視力の視力処方を有するが、レンズ装用者の少なくとも２つのライフスタイル及び／又はバイオメトリック・パラメータのある範囲の値又はカテゴリーに対して、少なくとも２つのレンズ設計パラメータが個々のライフスタイル及び／又はバイオメトリック・パラメータの特定の各値又はカテゴリーに起因又は関連した各値又は特性をそれぞれ有する、異なる累進レンズ設計を含む累進めがねレンズ要素の配置を対象とする。
【課題を解決するための手段】
【００１４】
一実施例では、本発明は、実質的に同一の加入度及び実質的に同一の遠用視力の視力処方を有する累進めがねレンズ要素の列を提供し、累進めがねレンズ要素のそれぞれが、
遠用視力用の屈折度を提供する遠用領域と、 
近用視力用の屈折度を提供する近用領域と、
遠用領域の屈折度から近用領域の屈折度へと変化する屈折度を有し、遠用領域と近用領域を連結する累進帯と、を規定する一組のレンズ設計パラメータによって特徴付けられる累進レンズ設計を有し、
累進めがねレンズ要素は、レンズ装用者の少なくとも２つのライフスタイル及び／又はバイオメトリック・パラメータのある範囲の値又はカテゴリーに対して、少なくとも２つのレンズ設計パラメータが各ライフスタイル及び／又はバイオメトリック・パラメータの特定の値又はカテゴリーに起因又は関連した各値又は特性をそれぞれ有する、異なる累進レンズ設計を提供する。
【００１５】
本明細書では、「遠用領域」という用語は、累進めがねレンズ要素の上方部分に位置する、遠用視力に適した指定領域を指すと理解される。一方、「近用領域」という用語は、累進レンズ要素の下方部分に位置する、近用の加入度を提供する指定領域を指すと理解される。
【００１６】
本明細書を通して、「列（ａｒｒａｙ）」という用語を使用する。説明の目的で、列という用語は、物理的な累進めがねレンズ要素そのものの完全な列に限定されると解釈されるものではない。さらに、おそらくこの例では連続的な処方活動の結果として、列がある期間にわたって組み付けることのできる対象である限り、本明細書を通して「列」という用語は、累進めがねレンズ要素の部分的な列又は完全な列を指すことを含むと理解される。
【００１７】
明らかなように、部分的な列には、処方される場合、追加の累進レンズ要素を本発明による（完全又は部分的な）列に含むために提供する追加の累進レンズ要素を処方することが可能な処方プロセスを使用して処方された、少なくとも２つの累進レンズ要素を含むことができる。そのような処方プロセスでは、累進レンズ要素の数値、図式又は仮想表示を含む部分的又は完全な列を使用することができるので、本発明による累進レンズ要素の列は、物理的な累進レンズ要素そのものの列に限定される必要はない。実際、累進レンズ要素の列には、累進レンズ要素の適切な数値、図式又は仮想表示を含むことができる。
【００１８】
上述の事項を鑑みると、本明細書の文中の「列」とは、処方された、又は処方することができる２つ以上の累進レンズ要素、並びに列内に割り当てる処方システム又はプロセスによって処方することが可能な、累進レンズ要素の列の適切な数値、図式又は仮想表示を含むことができることが理解されよう。これに関して、累進レンズ要素の列のいずれの形態も、適切な列指数を使用して、特定の加入度及び視力処方が識別される累進レンズ要素の集合を含むことができる。
【００１９】
一実施例では、本発明による累進めがねレンズ要素の列のグループは、列の１つ又は複数の系として配置することができる。このタイプの配置では、系内の各列は同一の系の他の列に含まれる累進レンズ要素の加入度と異なる加入度を有するが、実質的に同一の遠用視力の視力処方を有する累進レンズ要素を含むことができる。したがって、一実施例では、系はある範囲のレンズ装用者に適したある範囲の加入度の範囲を提供する。したがって、本発明の別の実施例では、実質的に同一の遠用視力の視力処方を有する累進めがねレンズ要素の系が提供され、累進レンズ要素は、
遠用視力用の屈折度を提供する遠用領域と、 
近用視力用の屈折度を提供する近用領域と、
遠用領域の屈折度から近用領域の屈折度へと変化する屈折度を有し、遠用領域と近用領域を連結する累進帯と、を含み、
系は、
累進レンズ要素の複数の列を含み、系内の各列は実質的に同一の加入度及び遠用視力処方を有し、系内の異なる列からの累進レンズ要素は異なる加入度を有し、
列内の累進レンズ要素は、レンズ装用者の少なくとも２つのライフスタイル及び／又はバイオメトリック・パラメータのある範囲の値又はカテゴリーに対して、少なくとも２つのレンズ設計パラメータが各ライフスタイル及び／又はバイオメトリック・パラメータの特定の値又はカテゴリーに起因又は関連した各値又は特性をそれぞれ有する、異なる累進レンズ設計を提供する。
【００２０】
一実施例では、列内の異なる系は、列内の複数の系を含むマトリックスを提供するように分類することができる。したがって、本発明はまた累進めがねレンズ要素のマトリックスを提供し、累進レンズ要素は、
遠用視力用の屈折度を提供する遠用領域と、
近用視力用の屈折度を提供する近用領域と、
遠用領域の屈折度から近用領域の屈折度へと変化する屈折度を有し、遠用領域と近用領域を連結する累進帯とを含み、マトリックスは、
累進レンズ要素の複数の系を含み、各系は、実質的に同一の遠用視力の視力処方を有する累進レンズの１つ又は複数の列を含み、系内の各列は、実質的に同一の加入度を有する累進レンズ要素を含み、系内の異なる列からの累進レンズ要素は異なる加入度を有し、
列内の累進レンズ要素は、レンズ装用者の少なくとも２つのライフスタイル及び／又はバイオメトリック・パラメータのある範囲の値又はカテゴリーに対して、少なくとも２つのレンズ設計パラメータが各ライフスタイル及び／又はバイオメトリック・パラメータの特定の値又はカテゴリーに起因又は関連した各値又は特性をそれぞれ有する、異なる累進レンズ設計を提供する。
【００２１】
好ましくは、レンズ装用者のライフスタイル及び／又はバイオメトリック・パラメータの値又はカテゴリーに起因する累進レンズ設計の少なくとも２つのレンズ設計パラメータは、
ａ．遠用−近用領域サイズ・バランス、
ｂ．累進帯長、
ｃ．近用基準点挿入（ＮＲＰ）、及び
ｄ．中心−周辺領域サイズ・バランス、のいずれか２つを含む。
【００２２】
本明細書を通して、「遠用−近用領域サイズ・バランス」という用語は、無限距離で対象を明確に見るために利用可能なレンズ表面積と、レンズ装用者が通常の読書距離で対象を見るために利用可能なレンズ表面積の比率を指すと理解される。これらの領域は、レンズ装用者の処方及び特定のレンズ構成のためのレンズを光線トレースすることによって得られた複雑なぼやけ閾値の輪郭線によって限定されることが明らかであろう。
【００２３】
本明細書を通して「近用基準点挿入」という用語は、遠用領域の垂直な主要基準点二等分線と近用領域の垂直な主要基準点二等分線の間の水平距離のことを指すと理解される。
【００２４】
本明細書を通して「累進帯長」という用語は、累進レンズの装着十字線のＹ座標とレンズ面の近用基準点の間の差異のことを指すと理解される。
【００２５】
好ましくは、レンズ装用者のライフスタイル・パラメータの１つは、レンズ装用者の
ａ．近用視力必要度、
ｂ．動体視力必要度、
ｃ．コンピュータ使用頻度、及び
ｄ．装用者の仕事及び／又は余暇のパターン、のいずれか１つの値又はカテゴリーを含む。
【００２６】
好ましくは、レンズ装用者のバイオメトリック・パラメータの値又はカテゴリーは、レンズ装用者の
ａ．単眼瞳孔間距離、
ｂ．読書距離、及び
ｃ．読書作業中の装用者の頭部動作及び／又は眼球動作カテゴリーを含む装用者の視認行動パターン、のいずれか１つの値又はカテゴリーを含む。
【００２７】
一実施例では、列に含まれる各累進レンズ要素は、実質的に同一の装着位置（ＰＯＷ）特性に従って特徴付けられる。これに関して、装着位置特性は、
ａ．角膜頂点間距離、
ｂ．フレーム前傾角及びラップ角、及び
ｃ．単眼瞳孔距離、のいずれか１つを含むことができる。
【００２８】
他の実施例では、列に含まれる各累進レンズ要素は、レンズ装用者が装着する累進レンズ要素を支持するためのフレームのフレームサイズ及び／又は形状情報に起因及び／又は関連した値又は特性を有するパラメータによって特徴付けられる累進レンズ設計を含む。
【００２９】
別の実施例はまた、レンズ装用者に累進レンズを処方する方法も提供し、方法は、
ライフスタイル及び／又はバイオメトリック・パラメータを含む、レンズ装用者の少なくとも２つのレンズ設計パラメータの値又はカテゴリーを入手する段階と、
各設計が実質的に同一の加入度及び実質的に同一の遠用視力の視力処方を有し、各設計がライフスタイル及び／又はバイオメトリック・パラメータの特定の値又はカテゴリーに関連する各値又は特性を有する少なくとも２つのレンズ設計パラメータを含む累進レンズ設計の列に、入手された値又はカテゴリーを割り当てる段階と、
入手された値又はカテゴリーと関連する値又は特性を備えた２つのレンズ設計パラメータを有する累進レンズ設計を列から検索する段階とを含む。
【００３０】
別の実施例では、レンズ装用者の累進レンズ設計を処方するためのシステムが提供され、システムは、
プロセッサと、
プロセッサによって実行するための一連の命令でプログラムされたメモリと、
ユーザ入力デバイスと、
ユーザ出力デバイスとを含み、
命令はプロセッサによって、
ライフスタイル及び／又はバイオメトリック・パラメータを含む少なくとも２つのレンズ装用者のパラメータの値又はカテゴリーを、ユーザ入力デバイスを通して受け入れ、
実質的に同一の加入度及び実質的に同一の遠用視力の視力処方を有し、ライフスタイル及び／又はバイオメトリック・パラメータの特定の値又はカテゴリーに関連する個々の値又は特性を有する少なくとも２つのレンズ設計パラメータを含む、累進レンズ要素設計の列に、値又はカテゴリーを割り当て、
入力されたレンズ装用者のライフスタイル及び／又はバイオメトリック・パラメータの値又はカテゴリーに関連する少なくとも２つのレンズ設計パラメータの各値を含む累進レンズ設計を有する累進レンズ設計を列から検索し、
選択された累進レンズ設計をユーザ出力デバイスを通して出力するように実行可能である。
【００３１】
さらに別の実施例では、累進レンズ要素設計の列のためのコンピュータ読み取り可能なデータを保存するコンピュータ読み取り可能な媒体を提供し、各設計は、実質的に同一の加入度及び実質的に同一の遠用視力の視力処方を有し、少なくとも２つのレンズ装用者のライフスタイル及び／又はバイオメトリック・パラメータのある範囲の値又はカテゴリーから、レンズ装用者のライフスタイル及び／又はバイオメトリック・パラメータの特定の値又はカテゴリーに関連する各値又は特性を有する少なくとも２つのレンズ設計パラメータを含む。
【００３２】
本発明は、装用者のライフスタイル及び／又はバイオメトリック・パラメータに対応するレンズ設計パラメータを有する累進レンズ要素を、累進レンズ要素の列から、処方者が選択するために使用することができるという点で、多くの利点を含むことが理解されよう。その結果、処方者はレンズ装用者のライフスタイル及び／又はバイオメトリック・パラメータに適したレンズ要素を列から選択することができる。
【発明の効果】
【００３３】
一実施例では、列に含まれる累進レンズ要素は、一般に「完成した累進レンズ要素」といわれるタイプのものである。本明細書の文中で、完成した累進レンズ要素は、「自由曲面」の累進レンズ要素、又は他の何らかの従来の製造法によって製造された累進レンズ要素を含むことができる。
【００３４】
本明細書を通して、「累進面」という用語を使用する。「累進面」という用語を使用することによって、上方視野領域（すなわち、遠用領域）、下方視野領域（すなわち、近用領域）、及び累進レンズ要素の累進帯を画成するレンズ度数断面を形成し又はこれに寄与する表面特性を有する、累進レンズ要素の表面のことをいうと理解されたい。
【００３５】
累進レンズ要素の累進レンズ設計は等しい屈折度の輪郭線の分布を図示する輪郭線図を使用して表すことができ、それにより特定のレンズ設計によって形成される屈曲度の分布を図示する。
【００３６】
明らかなように、累進レンズ要素は、その累進レンズ要素のレンズ度数断面を形成する表面特性を有する単一の累進面を含むことができる。しかし、累進加入レンズは必ずしも単一の累進面を含む必要はない。例えば、累進レンズ要素は、それぞれの表面がレンズ度数断面に寄与する表面特性を含むように配置された２つの累進面を含むことができる。その場合、累進面の光学的組合せによって、その累進レンズ要素のためのレンズ度数断面を形成することができる。
【００３７】
単一の累進面を含む累進レンズ要素の累進レンズ設計は、累進レンズ要素の前面又は後面のいずれかに累進面を含むことができる。明らかなように、ここで使用される累進レンズ要素の「後面」とは眼に近い面のことであり、「前面」とは累進レンズ要素の対物面のことである。
【００３８】
２つの累進面を含む累進レンズ要素に関して、上述したように、累進レンズ設計のレンズ度数断面は、累進レンズ要素の前面及び後面の表面特性の光学的組合せによって形成することができる。
【００３９】
累進レンズ要素が単一の累進面を含む実施例では、各累進レンズ要素は、レンズ装用者の視力処方に合わせた視力矯正をもたらすように、別個の処方面を含むこともできる。そのような実施例では、累進面及び処方面は、累進レンズ要素の異なる面の上にある。例えば、一実施例では累進面は各累進レンズ要素の前面上にあり、処方面は後面上にある。しかし、別の実施例では累進面は後面上にあり、処方面は前面上にある。
【００４０】
もちろん、各累進レンズ要素は必ずしも別個の累進面と処方面を含む必要はない。実際、一実施例では累進レンズ要素の表面特性は、レンズ装用者の視力処方に合わせたレンズ度数断面及び視力矯正をもたらす単一の表面上に配置されている。レンズ度数断面及び視力矯正をもたらす表面特性が同一面上に配置されている累進レンズ要素を含む実施例では、列の累進レンズ要素の前面上又は後面上に表面特性を配置することができる。
【００４１】
さらに別の実施例では、前面及び後面はそれぞれ、レンズ装用者の視力処方に合わせたレンズ度数断面及び視力矯正をもたらすように光学的に組み合わされた表面特性を含む。言い換えると、一実施例では、表面特性が前面及び後面にわたって分布されて、特定のレンズ度数断面及び視力処方をもたらす表面特性の組合せを提供する。レンズ度数断面及び視力矯正をもたらす表面特性が前面及び後面上に分布されている累進レンズ要素を含む実施例では、適切な分布を使用して、表面特性をこれらの間に分布することができる。
【００４２】
累進面及び処方面の実際の配置、或いはレンズ度数断面及び視力矯正をもたらし又はこれに寄与する表面特性の分布及び配置に関わらず、累進レンズ要素の各列は、実質的に同一の遠用視力の視力処方及び実質的に同一の加入度を有する。しかし、いくつかの列の形態をとる累進レンズの系を含む実施例では、同一の系で異なる列の累進レンズ要素は、異なる加入度及び同一の遠用視力の視力処方を有する。
【００４３】
系内の複数の列を組み合わせて異なる加入度を提供するように、同一の系内の累進レンズ要素の各列間の加入度の差異を、増分的に変化させることができる。一実施例では、加入度は０．２５Ｄの増分で０．７５Ｄから３．５Ｄまで増分的に変化し、各値にはその加入度の値を有する対応する累進レンズ要素の列がある。しかし、本発明の他の実施例では、他の範囲の加入度及び他の増分を提供することもできることを理解されたい。
【００４４】
異なる列、又は異なる系の累進レンズ要素は、少なくとも２つのレンズ設計パラメータが、同一の個々のライフスタイル及び／又はバイオメトリック・パラメータの１つ又は複数の特定の値又はカテゴリーに起因又は関連する、累進レンズ設計を有することができる。しかし、それらの累進レンズ設計はそれぞれ異なる列、又は異なる系のものであるので、これらの累進レンズ設計はそれぞれ、（異なる列の場合は）加入度が異なり、又は（異なる系の場合は）遠用視力を矯正するための視力処方が異なる。例えば、一実施例では、異なる系の累進レンズ要素は異なる遠用視力の視力処方を有する。別の実施例では、異なる列の累進レンズ要素は異なる加入度を有する。
【００４５】
列内では、累進レンズ設計の少なくとも２つのレンズ設計パラメータの値又は特性と、レンズ装用者の個々のライフスタイル及び／又はバイオメトリック・パラメータとの関係を、適切な方法を使用して特徴付けることができる。１つの適切な方法には、列内の累進レンズ要素の累進レンズ設計の少なくとも２つのレンズ設計パラメータの値又はカテゴリーを、レンズ装用者の個々のライフスタイル及び／又はバイオメトリック・パラメータのある範囲の値又はカテゴリーの関数として変化させる段階を含むことができる。したがって、一実施例では、列内の各累進レンズ要素のレンズ度数断面を、レンズ装用者の個々のライフスタイル及び／又はバイオメトリック・パラメータの値又はカテゴリーから導出することができる。
【００４６】
別の適切な方法には、系内の累進レンズ要素に対して、少なくとも２つのレンズ設計パラメータが、レンズ装用者の集団の個々のライフスタイル及び／又はバイオメトリック・パラメータのある範囲の値又はカテゴリーにわたって増分的に変化するように、系内の各累進レンズ要素に対して、累進レンズ設計の少なくとも２つのレンズ設計パラメータのそれぞれの値又は特性を増分的に変化させる段階を含むことができる。
【００４７】
さらに別の適切な方法には、別のパラメータを実質的に一定としたままで、系内の累進レンズ要素に対して、少なくとも２つのレンズ設計パラメータをレンズ装用者の集団のライフスタイル及び／又はバイオメトリック・パラメータのある範囲の値又はカテゴリーにわたって、比例的に変化させるように、系内の各累進レンズ要素に対して、累進レンズ設計の少なくとも２つのレンズ設計パラメータのそれぞれの値又は特性を比例的に変化させる段階を含むことができる。例えば一実施例では、周辺ぼやけパラメータの分布を実質的に一定に維持することができ、遠用領域の角度サイズと近用領域の角度サイズの比率のパラメータを、レンズ装用者のライフスタイル及び／又はバイオメトリック・パラメータの連続する値又はカテゴリー間で約１０％以上変化させることができる。
【００４８】
明らかなように、各ライフスタイル及び／又はバイオメトリック・パラメータには、レンズ装用者の集団内である範囲の変化量がある。したがって、本発明の一実施例では、列内では累進レンズ要素は、レンズ装用者の集団における個々のライフスタイル及び／又はバイオメトリック・パラメータのある範囲の変化量に対応するある範囲のレンズ度数断面を形成するように、少なくとも２つのレンズ設計パラメータを変化させる。
【００４９】
一実施例では、遠用−近用領域のサイズ・バランスは、レンズ装用者の近用視力必要度スコアに起因又は関連した値又は特性を有する。この実施例によれば、遠用−近用領域のサイズ・バランスの値のある範囲の変化量は、市場に流通している様々な領域サイズの累進レンズ設計の既知の性能及び選択された累進レンズ設計の臨床試験結果から、導出することができる。
【００５０】
一実施例では、遠用−近用領域のサイズ・バランスの値の変化量の範囲は、遠用及び／又は近用領域の角度サイズを修正することによって求められる。
【００５１】
遠用領域の角度サイズは、＋２０°から−１６°にわたり、標準加入度の４分の１の光学屈折値と等しい無限対物距離の輪郭線に合わせて光線トレースした二乗平均平方根（ＲＭＳ）ぼやけに適合させた双曲線の交差漸近線を回転することによって、修正して、遠用領域の角度サイズを増加又は減少させることができる。一実施例では、特定の標準加入度のレンズ装用者の特定の読書距離に合わせて光線トレースした二乗平均平方根（ＲＭＳ）ぼやけに適合させた双曲線の漸近線を＋２０°から−１６°にわたって回転し、それにより近用領域の角度の大きさを増加又は減少することによって、近用領域境界の修正が達成される。
【００５２】
上述の回転は、近用領域又は遠用領域の占有範囲に従って様々なレンズ装用者を分類する、ある範囲の近用視力必要度値に対して直線的に割り当てることができる。例えば、近用距離を優先する装用者にはスコア「９」を与えることができ、遠用視力を優先するレンズ装用者にはスコア「０」を与えることができる。スコアが高いほど、レンズ装用者が近用視力作業に主に従事することを示すことができる。したがって、近用視力必要度スコアに起因又は関連した遠用−近用領域のサイズ・バランスの値又は特性を有する累進レンズ要素は、近用部の有用性を高めるためにより広い近用領域を設ける「高」近用視力必要度スコアのための遠用−近用領域サイズ・バランスの値又は特性を有することができる。反対に、「低」近用視力必要度スコアに対応する累進レンズ要素は、遠用領域を広くすることができる。一実施例では、各スコアは回転の範囲内で一意の回転と関連付けられる。一実施例では、スコアの範囲は、４°の増分で＋２０°から−１６°の範囲の回転と対応することができる。
【００５３】
一実施例では、遠用領域の角度サイズは約１０５°から約１４０°にわたって変化する。好ましくは、近用領域の角度の大きさは約４０°から約７５°にわたって変化する。これに関して、遠用領域の「角度サイズ」は、標準加入度の４分の１の光学屈折値と等しい無限対物距離の輪郭線に合わせて光線トレースした双曲線を二乗平均平方根（ＲＭＳ）ぼやけに適合させ、この双曲線の２つの漸近線間の角度を測定することによって計算することができる。近用領域の角度サイズは、特定の標準加入度の装用者の特定の読書距離に合わせてＲＭＳぼやけを光線トレースすることを除き、同様に計算することができる。一実施例では、遠用領域の角度サイズは、増分あたり約４°の角度領域の大きさの変化にそれぞれ対応する９つの増分を設けるようになっており、その範囲にわたって増分的に変化する。比例的変化に関して、遠用領域の最大の角度サイズが１８０°であるとする場合、４°の増分変化は増分あたり約２％の変化量に対応する。
【００５４】
別の実施例では、列内の累進レンズ要素のそれぞれの中心−周辺領域サイズ・バランスの値又は特性は、レンズ装用者の頭部又は眼球の移動傾向の値又はカテゴリーに起因又は関連したものである。これに関して、累進レンズ要素の「中心領域」はレンズ装用者の明確な中心視力に適した領域であり、「周辺領域」はレンズ装用者の中心視には適さない、周辺視力のみに使用することができる領域を含む。したがって、中心−周辺領域のサイズ・バランスは、明確な中心視力に利用可能なレンズ表面積と周辺視力に利用可能なレンズ表面積の比率である。中心領域は、遠用領域、近用領域、及び累進帯の組合せによって得られるレンズ表面積を含み、周辺領域は、２つの領域にわたって分布され、遠用領域、累進帯、及び近用領域との境界をそれぞれ有する残りのレンズ表面積を含む。以下の説明において、これらの境界のそれぞれを「中心−周辺領域境界」という。
【００５５】
累進レンズ要素の中心領域のレンズ表面における面積の適切性は、累進レンズのその特定の面積を通して見ることが意図された距離（「対物距離」）で物体を見るときに、レンズ装用者に与えるぼやけのレベルによって測定される。一般に、この文中におけるぼやけの計算には、対物視野の変化量及びレンズ前面上の座標に関する仮定が必要である。一般に、そのような計算は、対物距離がＹ軸に沿って目線の度数断面に対して比例的に変化し、Ｘ座標から独立しているという仮定に基づいている。次いで、この仮定された可変の対物距離の輪郭線図を計算することができ、選択された輪郭線によって明確な中心視力のための閾値を表す。
【００５６】
中心−周辺領域のサイズ・バランスの値又は特性を、レンズ装用者の眼球移動傾向の値又はカテゴリーに起因又は関連したものにすることに関して、レンズ装用者の眼球移動を、例えば近用、中間、及び遠用視力など、少なくとも１つの標準化された視力作業の範囲で測定することができる。次いで、作業に重点を置いた眼球移動のデータを、好ましくはその作業の眼球動作の集団モデルに基づいて、標準と比較することができる。集団標準に対する位置から「０」から「９」までの眼球移動スコアが得られ、「０」は眼球移動の平均が１０パーセント以下であることを表し、「９」は眼球移動の平均が９０パーセント以上であることを表す。
【００５７】
一実施例では、眼球移動パーセンテージ・スコアの範囲から導出される中心−周辺領域のサイズ・バランスのある範囲の変化量を列によって提供するように、累進レンズの遠用領域及び近用領域の大きさの値又は特性、したがって中心−周辺領域のサイズ・バランスを、眼球移動パーセンテージ・スコアに起因又は関連したものとすることができる。例えば、最小の絶対中心領域サイズ（したがって、最小の中心−周辺領域サイズ・バランス）は眼球移動スコア「０」に起因し、最大の絶対中心領域サイズ（したがって、最大の中心−周辺領域サイズ・バランス）は眼球移動スコア「９」に起因する。中間の中心領域サイズは、最大中心領域サイズと最小中心領域サイズの間における直線的な割り当てに従って変化する。
【００５８】
一実施例では、列内での累進レンズ要素の近用基準点（ＮＲＰ）の挿入は、レンズ装用者の集団の単眼の瞳孔間距離の範囲の値又はカテゴリーに起因又は関連した値又は特性を有する。
【００５９】
一実施例では、列内の累進レンズ要素の累進帯長は、フレーム内の最適な位置で必要な読書度数を提供するように、フレームの形状及び／又はサイズに起因又は関連した値又は特性を有する。一実施例では、累進帯長はフレームの装着高さ（Ｈ）に従って変化することができる。
【００６０】
別の実施例では、累進帯長は近用必要度スコアに起因又は関連した値又は特性を有する。
【００６１】
さらに別の実施例では、累進帯長は、レンズ装用者の頭部動作及び／又は眼球動作の傾向を分類する、レンズ装用者のバイオメトリック・パラメータの値又はカテゴリーに起因又は関連した値又は特性を有する。
【００６２】
レンズ装用者の頭部動作及び／又は眼球動作の傾向は、標準化された読書作業のための下方視データを導出するように、眼球追跡装置又は頭部追跡装置を使用して測定することができる。次いで下方視データを、好ましくは下方視の集団モデルに基づいて、標準と比較する。
【００６３】
特定のレンズ装用者では、レンズ装用者の標準に対して測定された下方視データを使用して、下方視スコアを導出することができる。「０」から「９」までの下方視スコアが得られ、「０」は下方視の平均が１０パーセント以下であることを表し、「９」は下方視の平均が９０パーセント以上であることを表す。パーセントスコアの範囲に起因又は関連した累進帯長のある範囲の変化量を、列によって提供するように、列内の累進レンズの累進帯長の値又はカテゴリーを、パーセントスコアに起因又は関連したものとすることができる。一実施例では、範囲内の最小の累進帯長は下方視スコア「０」に起因し、範囲内の最大の累進帯長は下方視スコア「９」に起因する。中間の累進帯長は、最大累進帯長と最小累進帯長の間における直線的な割り当てに従って変化することができる。
【００６４】
一実施例では、列内での近用基準点の挿入は、レンズ装用者の読書距離の値又はカテゴリーに起因又は対応する値又は特性を有する。このように、１対の累進レンズ要素は、眼鏡を作製するために組み合わされるとき、左右の眼の累進帯を中間地点で結ぶ線と交わる垂直面で、レンズ装用者が読書距離で左眼から右眼へと許容可能な結像を得られる列内に求めることができる。
【００６５】
上述のように、同じ系の異なる列からの累進レンズ要素、したがって加入度が異なるが遠用視力の視力矯正が同じである累進レンズ要素は、レンズ装用者のライフスタイル及び／又はバイオメトリック・パラメータの値又はカテゴリーの同一の範囲からの各値又はカテゴリーに起因又は関連する各値又は特性を有する累進レンズ設計を含むことができる。
【００６６】
累進レンズ設計の少なくとも２つのレンズ設計パラメータが増分的に変化する実施例では、異なるレンズ設計パラメータは別々に表されるので、場合によってはレンズ設計パラメータの変化に依存する適切な形態を使用して、増分変化量を表すことができる。
【００６７】
累進レンズ要素の１つ又は複数の列はそれぞれ、各系内で、レンズ装用者の個々のライフスタイル及び／又はバイオメトリック・パラメータの値又はカテゴリーに起因する各値又は特性を有する２つ以上のレンズ設計パラメータを含む累進レンズ設計を有する、累進レンズ要素を含むことができる。
【００６８】
列の系を含むマトリックスの本発明の実施例では、列の系は異なる視力処方に対応する。このように、特定の視力処方及び特定の加入度には、実質的に同一の視力処方、実質的に同一の加入度、及びレンズ装用者の個々のライフスタイル及び／又はバイオメトリック・パラメータの値又はカテゴリーに起因する各値又は特性を有する少なくとも２つのレンズ設計パラメータを含む累進レンズ設計を有する累進レンズ要素の列を含む、累進レンズ要素の列の系が得られる。異なる処方の列の系を含むマトリックスの構造の例を表１に示す。
【００６９】
実質的に同一の加入度及び実質的に同一の遠用視力の視力処方を有することに加えて、列内に含まれる累進レンズ要素はまた、他の特性も実質的に同一とすることができる。例えば、一実施例では、各列は、実質的に同一の装着位置（ＰＯＷ）特性に適合された累進レンズ要素を含むことができる。
【表１】
2015004988.tif 000003
【００７０】
別の実施例では、各系はそれぞれ、実質的に同一のフレーム設計（例えば、フレーム形状及び／又はサイズ）に適合された累進レンズ要素を含むことができる。
【００７１】
したがって、複数の列が系の配置内で分類されている実施例において、列の累進レンズ要素の１つ又は複数の系がそれぞれ、レンズ装用者の装着位置及び／又は特定のフレーム設計に最適化された累進レンズ要素を含むことができる。すなわち、累進レンズ要素の各列は、傾斜収差、読書距離、レンズ傾斜、及び頂点間距離が最終的なレンズの視力度数に与える影響を考慮して、装用者が意図した位置でレンズ要素を使用して見るレンズ要素の視覚に従ってレンズ装用者に最適化された、累進レンズ設計を含むことができる。
【００７２】
したがって、一実施例では各系は、レンズ装用者の処方に対応するとともに「装着位置」特性にも適合された、遠用視力の視力矯正をもたらす累進レンズ要素を含む。同一の処方及び「装着位置」特性を有する累進レンズ要素のマトリックスの構造の例を表２に示す。
【００７３】
好ましくは、列内の累進レンズ要素は、（レンズ要素が装用者の顔面に配置される方法を特徴付ける）「装着位置」パラメータの特定の値又はカテゴリーに対応することができるので、本発明によるマトリックスの一実施例では、レンズ装用者のライフスタイル及び／又はバイオメトリック・パラメータの値又はカテゴリー並びに実質的に同一の装着位置特性に関連する、累進レンズ設計を有する累進レンズ要素の系が得られる。同様に、列内で累進レンズ要素の累進レンズ設計を様々なフレーム形状及び／又はサイズに適合させることができる。
【表２】
2015004988.tif 000004
【図面の簡単な説明】
【００７４】
【図１Ａ】従来の累進レンズ要素のＲＭＳぼやけの輪郭線図である。
【図１Ｂ】単一のＲＭＳぼやけで示す従来の累進レンズ要素の概略図である。
【図２】本発明の実施例による、列に配置された累進レンズのＲＭＳぼやけの輪郭線図である。
【図３】２桁の列指数に関連付けられた累進レンズを有する図２の列を示す図である。
【図３Ａ】図３の２桁列指数の実施例である。
【図４】本発明の実施例による別の列のＲＭＳぼやけの輪郭線図である。
【図４Ａ】図４の３桁列指数の実施例を示す図である。
【図５】本発明の実施例の系の例を示す図である。
【図６】本発明の実施例のマトリックスの例を示す図である。
【図７】本発明の実施例によるシステムのシステムブロック図である。
【図８】本発明の実施例による方法のフロー図である。
【実施例】
【００７５】
本発明を添付の図面に示された好ましい実施例に関連して説明する。ただし、図示されたものは本発明の一実施例を表すに過ぎないことを理解されたい。他の実施例も、一般に上述された本発明の範囲内であることが想定されている。
【００７６】
図１Ａは従来の累進レンズ要素１００におけるＲＭＳぼやけの輪郭線図を示す。累進レンズ要素１００は、＋２．００／−１．５０×４５°及び加入度２．００Ｄの処方箋を表す。角膜頂点間距離１２ｍｍ及び前傾角１０°によって特徴付けられる装着位置で光線トレースを実施した。示された光線トレースの対物視野は、無限大の遠用基準点（ＤＲＰ）から４０ｃｍの近用基準点（ＮＲＰ）までであった。近用領域における度数誤差の測定では、０．５Ｄの予備を設けると仮定した。図示された累進レンズ要素１００の直径は６０ｍｍである。
【００７７】
図１Ｂは、図１Ａに示すものとは異なる累進レンズ設計を有する累進レンズ要素１００を示す概略図である。図に示すように、累進レンズ要素１００は遠用視力用の屈折度を有する上方視野領域１０２（「遠用領域」）、近用視力用の屈折度を有する下方視野領域１０４（「近用領域」）、及び上方視野領域１０２と下方視野領域１０４を連結する累進帯１０６を含む。この場合、遠用領域１０２及び近用領域は、双曲線１０２Ａ、１０４Ａによってそれぞれ境界されたレンズ面の領域として全体的に示されている。双曲線１０２Ａは、標準加入度の４分の１の光学屈折値と等しい無限対物距離輪郭線に合わせて光線トレースされた二乗平均平方根（ＲＭＳ）ぼやけに適合されている。双曲線１０４Ａは、特定の標準加入度のレンズ装用者の特定の読書距離に合わせて光線トレースされた二乗平均平方根（ＲＭＳ）ぼやけの同じ輪郭線に適合されている。
【００７８】
累進帯１０６の屈折度は、遠用領域１０２の屈折度から近用領域１０４の屈折度へと累進帯長１０８にわたって変化する。図示された累進レンズ１００はまた、周辺領域１１２、並びにそれ自体が遠用領域１０２、近用領域１０４及び累進帯１０６を含む中心領域も含む。
【００７９】
図２は本発明の実施例による累進レンズ１００の列２００のＲＭＳぼやけの輪郭線図である。主なレンズ度数測定位置を分かり易くするために、基準マークＤＲＰ、ＮＲＰが示されている。
【００８０】
列２００の各累進レンズ要素１００は、実質的に同一の加入度及び実質的に同一の遠用視力の処方視力を有するが、列２００の各累進レンズ要素１００は、レンズ装用者の少なくとも２つのライフスタイル及び／又はバイオメトリック・パラメータのある範囲の値又はカテゴリーに対して、少なくとも２つのレンズ設計パラメータがライフスタイル及び／又はバイオメトリック・パラメータの特定の値又はカテゴリーにそれぞれ起因又は関連した各値又は特性をそれぞれ有する、異なる累進レンズ設計を提供する。
【００８１】
図２の累進レンズ要素１００は、可変の対物距離に対するＲＭＳぼやけの輪郭線図を使用して示されている。図２に示す列２００は、異なる累進レンズ設計をそれぞれ有する９つの累進レンズ要素１００を含む。ただし、どのような数の累進レンズ要素１００が列２００に含まれていてもよい。
【００８２】
上述のように、列２００内に含まれる各累進レンズ要素１００は、実質的に同一の遠用視力の視力処方及び実質的に同一の加入度処方を有する。この場合、各累進レンズ要素１０２は、加入度２．００Ｄの平面遠用視力領域を有する。
【００８３】
本実施例では、列２００の各累進レンズ要素１００はまた、同一の装着位置パラメータ、すなわち前傾角１０°、ラップ角０°及び角膜頂点間距離１２ｍｍ、によって特徴付けられる累進設計も示している。列２００の各累進レンズ要素１００は、必ずしも同一の装着位置パラメータによって特徴付けられる累進設計を示す必要はない。
【００８４】
上述のように、累進レンズ要素１００のそれぞれの２つのレンズ設計パラメータ２０２、２０４は、レンズ装用者の個々のライフスタイル及び／又はバイオメトリック・パラメータの値又はカテゴリーに起因した各値又は特性を有する。本実施例では、２つのレンズ設計パラメータ２０２、２０４は、累進帯長２０４及び遠用−近用領域のサイズ・バランス２０８を含む。
【００８５】
図示された実施例では、下方視が増大すると累進帯長２０４の値が増加するように、累進帯長２０４の値はレンズ装用者の眼球運動のカテゴリー（この場合は読書中の下方視傾向）に基づいている。
【００８６】
さらに、近用視力の必要度２０６が増加すると遠用−近用領域のサイズ・バランス２０２の値が減少するように、遠用−近用領域のサイズ・バランス２０２の値はレンズ装用者の近用視力の必要度２０６のカテゴリーに基づいている。すなわち、遠用−近用領域のサイズ・バランス２０２が大きいほど、近用視力の必要度２０６は小さくなる。
【００８７】
図３に示すように、列２００の各累進レンズ要素１００は、個々の装用者のために設定されたライフスタイル及び／又はバイオメトリック・パラメータの値又はカテゴリーに起因又は関連した、少なくとも２つの累進レンズ設計パラメータを表す個々の２桁の列指数３００並びにこれらの累進レンズ設計パラメータの値又はカテゴリーに関連付けられている。
【００８８】
図示された実施例では、図３Ａを参照すると、２桁コード３００の第１の数値パラメータ３０２は、累進レンズ設計の累進帯長値の値又はカテゴリーを表し、眼の下方視の値に基づいている。この場合、コード番号が大きいほど累進帯長が長いことを表す。
【００８９】
第２の数値パラメータ３０４は、遠用−近用領域のサイズ・バランスを表し、近用視力の必要度スコアに基づいている。
【００９０】
累進レンズ設計パラメータの他の組合せも可能であることを理解されたい。実際、図４は本発明による列の別の実施例を示している。図４に示す実施例では、各累進レンズ要素は３桁の列指数４００に関連付けられている。本実施例では、図４Ａを参照すると、中心−周辺領域サイズ・バランスを表す第３の数値パラメータ４０２が設けられており、この実施例では、レンズ装用者が周辺視野に入ってきた物体に注目しようとするとき、頭部を向ける前に自然に眼球が向く範囲の関数である。
【００９１】
図５を参照すると、実質的に同一の遠用視力の視力処方を有する累進レンズ要素の列２００−１、２００−２、２００−３の系５００内に配置された累進レンズのＲＭＳぼやけの輪郭線図を示している。ただし、異なる列２００−１、２００−２、２００−３の累進レンズ要素は、異なる加入度５０２、５０４、５０６を有する。本実施例では、列２００−１は加入度１．５０Ｄを有する累進レンズ要素を含み、列２００−２は加入度２．００Ｄを有する累進レンズ要素を含み、列２００−３は加入度２．５０Ｄを有する累進レンズ要素を含む。
【００９２】
各列２００−１、２００−２、２００−３の累進レンズ要素は、レンズ装用者の少なくとも２つのライフスタイル及び／又はバイオメトリック・パラメータのある範囲の値又はカテゴリーに対して、少なくとも２つのレンズ設計パラメータが個々のライフスタイル及び／又はバイオメトリック・パラメータの特定の値又はカテゴリーにそれぞれ起因又は関連した各値又は特性をそれぞれ有する異なる累進レンズ設計を提供する。この場合、値の範囲にはある範囲の近用視力必要度スコア及びある範囲の下方視スコアを含み、各レンズ設計パラメータは遠用−近用領域のサイズ・バランス及び累進帯長を含む。
【００９３】
図６は本発明の実施例による、マトリックスに配置された累進レンズのＲＭＳぼやけの輪郭線図である。図に示すように、マトリックス６００は累進レンズ要素の２つの系５００−１、５００−２を含む。各系５００−１、５００−２はそれぞれ、実質的に同一の遠用視力の視力処方を有する累進レンズ要素の３つの各列を含む。この場合、系５００−１は列２００−１、２００−２、２００−３を含み、系５００−２は列２００−４、２００−５、２００−６を含む。本実施例では、系５００−１の累進レンズ要素は、＋０．００Ｄの視力処方（「視力処方Ａ」）を提供し、系５００−２の累進レンズ要素は、＋３．００Ｄの視力処方（「視力処方Ｂ」）を提供する。
【００９４】
図７は、処方者７０４がレンズ装用者７０２に累進レンズ設計を処方する際に使用する、本発明の実施例による方法を実施するためのシステム７００の実施例を示すブロック図である。
【００９５】
図示されたシステム７００はプロセッサ７０６、メモリ７０８、ユーザ入力デバイス７１０及びユーザ出力デバイス７１２を含む。本例では、プロセッサ７０６、メモリ７０８、ユーザ入力デバイス７１０及びユーザ出力デバイス７１２は、プロセッサ７０６と互換性のあるオペレーティング・システムを備えた適切な計算デバイスに組み込まれている。適切な計算デバイスの例には、Ｍｉｃｒｏｓｏｆｔ  Ｗｉｎｄｏｗｓ（登録商標）オペレーティング・システムを備えたデスクトップ・コンピュータ、適切なオペレーティング・システムを備えたモバイル・コンピュータ（ポケットＰＣ又はラップトップ・コンピュータ）、又は個人用携帯情報端末（ＰＤＡ）がある。
【００９６】
明らかなように、プロセッサ７０６のタイプは計算デバイスのタイプによって様々であり、したがって、例えばＩｎｔｅｌ  Ｐｅｎｔｉｕｍ（登録商標）タイプのプロセッサ、６８Ｋプロセッサ又はカスタムプロセッサ設計などを含むことができる。入力デバイス７１０は、例えばタッチ・パネル、キーボード、キーパッド、マウス、ポインタ、トラック・ボールなど、何らかの適切なデバイスを含む。
【００９７】
この場合、メモリ７０８はＲＡＭなどの動的メモリを含む。ただし、他の実施例では、メモリ７０８はＰＲＯＭ、ＥＰＲＯＭ、ＦＬＡＳＨ  ＰＲＯＭ、又は他のメモリチップ、カートリッジ、又はプロセッサ７０６を読み出し又は書き込みできる他の媒体を含むこともできる。メモリ７０８は、プロセッサ７０６によって実行するための、コンピュータ・プログラムの形態である一連の命令７１４によってプログラムされている。
【００９８】
命令７１４は、ユーザ入力デバイス７１０を通して、レンズ装用者７０２のライフスタイル及び／又はバイオメトリック・パラメータの少なくとも２つの値又はカテゴリーを許容するように、プロセッサ７０６によって実行可能である。次いで、プロセッサ７０６は、その値又はカテゴリーを、実質的に同一の加入度及び実質的に同一の遠用視力の視力処方を有する累進レンズ設計の列へと割り当てる。上述のように、各レンズ設計は、ライフスタイル及び／又はバイオメトリック・パラメータの特定の値又はカテゴリーに関連した各値又は特性を有する、少なくとも２つのレンズ設計パラメータを含む。
【００９９】
列は、メモリ７０８内部、又は遠隔コンピュータに保存され適切な通信リンクを通してプロセッサにアクセス可能なデータベース８１６などのメモリ外部に保存することができる。
【０１００】
列への割り当てによって、レンズ装用者７０４のライフスタイル及び／又はバイオメトリック・パラメータの特定の入力された値又はカテゴリーに関連した少なくとも２つのレンズ設計パラメータ値を有する累進レンズ設計の列からの検索が行われる。次いで、検索されたレンズ設計がユーザ出力デバイス７１２によって出力される。図８は上述のプロセスを示す簡略化されたフロー図８００である。
【０１０１】
最後に、本願明細書に記載された構成には他の変形又は修正も考えられ、それらも本発明の範囲内であることが理解されよう。
【図１Ａ】
2015004988.tif 000005
【図１Ｂ】
2015004988.tif 000006
【図２】
2015004988.tif 000007
【図３】
2015004988.tif 000008
【図３Ａ】
2015004988.tif 000009
【図４】
2015004988.tif 000010
【図４Ａ】
2015004988.tif 000011
【図５】
2015004988.tif 000012
【図６】
2015004988.tif 000013
【図７】
2015004988.tif 000014
【図８】
2015004988.tif 000015
【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
実質的に同一の加入度及び実質的に同一の遠用視力の視力処方を有する累進めがねレンズ要素の列であって、前記累進めがねレンズ要素のそれぞれが、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯とを規定する一組のレンズ設計パラメータによって特徴付けられる累進レンズ設計を有し、前記累進めがねレンズ要素が、
レンズ装用者の少なくとも１つのライフスタイル・パラメータ及び少なくとも１つのバイオメトリック・パラメータの値又はカテゴリーの範囲に対して、少なくとも２つのレンズ設計パラメータのそれぞれが各ライフスタイル・パラメータ及びバイオメトリック・パラメータの特定の値又はカテゴリーに起因又は関連した各値又は特性をそれぞれ有する、異なる累進レンズ設計を提供し、かつ、それを識別するように割り当てられ、
前記レンズ設計パラメータの１つが、２０°より大きい前記遠用領域及び前記近用領域の角度サイズの変化量に相当する範囲の遠用−近用領域サイズバランスであり、
その他の前記レンズ設計パラメータが
ａ．累進帯長、
ｂ．近用基準点挿入（ＮＲＰ）、及び
ｃ．中心−周辺領域サイズ・バランス
から成るグループから選択され、
前記少なくとも２つのレンズ設計パラメータの各値又は特性が、前記列と関連した値又は特性の各範囲からのものである、累進めがねレンズ要素の列。
【請求項２】
前記遠用−近用領域サイズ・バランスの値の範囲が、前記遠用領域及び／又は前記近用領域の３０°超の角度サイズの変化量と等しい、請求項１に記載の累進めがねレンズ要素の列。
【請求項３】
周辺ぼやけパラメータの分布が、前記遠用−近用領域サイズ・バランスの変化量の範囲にわたって実質的に一定のままである、請求項１に記載の累進めがねレンズ要素の列。
【請求項４】
前記中心−周辺領域サイズ・バランス値の範囲が、１０５°から１４０°の範囲にわたって前記遠用領域の角度サイズを変えることによって提供される、請求項１に記載の累進めがねレンズ要素の列。
【請求項５】
前記中心−周辺領域サイズ・バランス値の範囲が、４０°から７５°の範囲にわたって前記近用領域の角度サイズを変えることによって提供される、請求項１に記載の累進めがねレンズ要素の列。
【請求項６】
レンズ装用者の少なくとも１つのライフスタイル・パラメータが、
ａ．近用視力必要度、
ｂ．動体視力必要度、
ｃ．コンピュータ使用頻度、及び
ｄ．装用者の仕事及び／又は余暇のパターン
の値又はカテゴリーの範囲を含む、請求項１に記載の累進めがねレンズ要素の列。
【請求項７】
前記レンズ装用者の少なくとも１つのライフスタイル・パラメータのそれぞれの値又はカテゴリーの範囲が、レンズ装用者の集団のスコアの各範囲を含む、請求項６に記載の累進めがねレンズ要素の列。
【請求項８】
各累進めがねレンズ要素の前記遠用−近用領域サイズ・バランスが、レンズ装用者の近用視力必要度の範囲からの近用視力必要度に起因又は関連した各値又はカテゴリーを有する、請求項７に記載の累進めがねレンズ要素の列。
【請求項９】
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターン、
のいずれか１つの値又はカテゴリーを含む、請求項１に記載の累進めがねレンズ要素の列。
【請求項１０】
前記レンズ装用者の少なくとも１つのバイオメトリック・パラメータのそれぞれの値又はカテゴリーの範囲がスコアの各範囲を含む、請求項１に記載の累進めがねレンズ要素の列。
【請求項１１】
各累進めがねレンズ要素の前記累進帯長が、レンズ装用者の集団で得られたレンズ装用者の眼球動作スコアの範囲からのレンズ装用者の眼球動作スコアに起因又は関連する各値又は特性を有する、請求項１０に記載の累進めがねレンズ要素の列。
【請求項１２】
各累進めがねレンズ要素の前記中心領域サイズ・バランスが、レンズ装用者の集団のレンズ装用者の頭部動作及び／又は眼球動作スコアの範囲からの頭部動作及び／又は眼球動作スコアに起因又は関連する各値又は特性を有する、請求項１０に記載の累進めがねレンズ要素の列。
【請求項１３】
各累進めがねレンズ要素の前記近用基準点挿入が、レンズ装用者の集団の読書距離スコアの範囲からの読書距離スコアに起因又は関連する各値又は特性を有する、請求項１０に記載の累進めがねレンズ要素の列。
【請求項１４】
前記列に含まれる各累進めがねレンズ要素が実質的に同一の装着位置（ＰＯＷ）特性を有する、請求項１に記載の累進めがねレンズ要素の列。
【請求項１５】
前記装着位置特性が、
ａ．角膜頂点間距離、
ｂ．フレーム前傾角、及び
ｃ．フレーム・ラップ角のいずれか１つを含む、請求項１４に記載の累進めがねレンズ要素の列。
【請求項１６】
前記列に含まれる各累進めがねレンズ要素が、２つのパラメータの少なくとも１つが、レンズ装用者が装着する累進めがねレンズ要素を支持するためのフレームのサイズ及び／又は形状情報に起因する少なくとも１つの値又は特性を有する累進レンズ設計を含む、請求項１に記載の累進めがねレンズ要素の列。
【請求項１７】
実質的に同一の遠用視力の視力処方を有する累進めがねレンズ要素の系であって、前記累進めがねレンズ要素が、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域と前記近用領域を連結する累進帯とを含み、前記系が、
各列が請求項１に記載の累進めがねレンズ要素の列である、累進めがねレンズ要素の複数の列を含み、系内の異なる列からの累進めがねレンズ要素は異なる加入度を有する、累進めがねレンズ要素の系。
【請求項１８】
系内の複数の列を組み合わせて加入度の範囲を提供するように、同一の系内の累進めがねレンズ要素の各列間の加入度の差異を増分的に変化させる、請求項１６に記載の累進めがねレンズ要素の系。
【請求項１９】
前記加入度が０．２５Ｄの増分で０．７５Ｄから３．５Ｄの範囲にわたって増分的に変化する、請求項１６に記載の累進めがねレンズ要素の系。
【請求項２０】
累進めがねレンズ要素のマトリックスであって、前記累進めがねレンズ要素が、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域と前記近用領域を連結する累進帯とを含み、前記マトリックスが、
累進めがねレンズ要素の複数の系を含み、各系は、各列が請求項１に記載の累進めがねレンズ要素の列である、累進めがねレンズ要素の１つ又は複数の列を含み、系内の異なる列からの累進めがねレンズ要素は異なる加入度を有する、累進めがねレンズ要素のマトリックス。
【請求項２１】
レンズ装用者に累進めがねレンズ要素を処方する方法であって、
少なくとも１つのライフスタイル・パラメータ及び少なくとも１つのバイオメトリック・パラメータを含む、レンズ装用者の少なくとも２つのパラメータの値又はカテゴリーを入手する段階と、
請求項１、６、９、１４、１５、あるいは１６のいずれか１つに記載の累進めがねレンズ要素の列にアクセスする段階と、
取得されたレンズ装用者の値又はカテゴリーと関連する値又は特性を備えた２つのレンズ設計パラメータを有する累進レンズ設計を列から検索する段階とを含む方法。
【請求項２２】
レンズ装用者に累進めがねレンズ設計を処方するシステムであって、
プロセッサと、
前記プロセッサによって実行するための命令でプログラムされたメモリと、 
ユーザ入力デバイスと、
ユーザ出力デバイスとを含み、
前記命令は前記プロセッサによって、
少なくとも１つのライフスタイル・パラメータ及び少なくとも１つのバイオメトリック・パラメータを含む少なくとも２つのレンズ装用者のパラメータの値又はカテゴリーを、前記ユーザ入力デバイスを通して受け入れ、
請求項１に記載の累進めがねレンズ要素の列へのアクセスを入手し、
入力されたレンズ装用者のライフスタイル・パラメータ及びバイオメトリック・パラメータの値又はカテゴリーに起因又は関連する２つのパラメータのそれぞれの値を含む累進レンズ設計を有する累進レンズ設計を列から検索し、
選択された累進レンズ設計を前記ユーザ出力デバイスを通して出力するように実行可能であるシステム。
【請求項２３】
請求項１に記載の累進めがねレンズ要素の列のコンピュータ読み取り可能なデータを保存するコンピュータ読み取り可能な媒体。
【請求項２４】
前記遠用領域の角度サイズは、標準加入度の４分の１の光学屈折値と等しい無限対物距離の輪郭線に合わせて光線トレースした二乗平均平方根（ＲＭＳ）ぼやけに適合させた双曲線の交差漸近線の間の角度である、請求項１に記載の累進めがねレンズ要素の列。
【請求項２５】
前記近用領域の角度サイズは、特定の読書距離に合わせて光線トレースした標準加入度の４分の１の光学屈折値と等しい輪郭線の二乗平均平方根（ＲＭＳ）ぼやけに適合させた双曲線の交差漸近線の間の角度である、請求項１に記載の累進めがねレンズ要素の列。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
実質的に同一の加入度及び実質的に同一の遠用視力の視力処方を有する累進めがねレンズ要素の列であって、前記累進めがねレンズ要素のそれぞれが、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯とを規定する一組のレンズ設計パラメータによって特徴付けられる累進レンズ設計を有し、前記累進めがねレンズ要素が、
レンズ装用者の少なくとも１つのライフスタイル・パラメータ及び少なくとも１つのバイオメトリック・パラメータの値又はカテゴリーの範囲に対して、少なくとも２つのレンズ設計パラメータのそれぞれが各ライフスタイル・パラメータ及びバイオメトリック・パラメータの特定の値又はカテゴリーに起因又は関連した各値又は特性をそれぞれ有する、異なる累進レンズ設計を提供し、かつ、それを識別するように割り当てられ、
前記レンズ設計パラメータの１つが、２０°より大きい前記遠用領域及び前記近用領域の角度サイズの変化量に相当する範囲の遠用−近用領域サイズバランスであり、
その他の前記レンズ設計パラメータが
ａ．累進帯長、
ｂ．近用基準点挿入（ＮＲＰ）、及び
ｃ．中心−周辺領域サイズ・バランス
から成るグループから選択され、
前記少なくとも２つのレンズ設計パラメータの各値又は特性が、前記列と関連した値又は特性の各範囲からのものである、累進めがねレンズ要素の列。
【請求項２】
前記遠用−近用領域サイズ・バランスの値の範囲が、前記遠用領域及び／又は前記近用領域の３０°超の角度サイズの変化量と等しい、請求項１に記載の累進めがねレンズ要素の列。
【請求項３】
周辺ぼやけパラメータの分布が、前記遠用−近用領域サイズ・バランスの変化量の範囲にわたって実質的に一定のままである、請求項１に記載の累進めがねレンズ要素の列。
【請求項４】
前記中心−周辺領域サイズ・バランス値の範囲が、１０５°から１４０°の範囲にわたって前記遠用領域の角度サイズを変えることによって提供される、請求項１に記載の累進めがねレンズ要素の列。
【請求項５】
前記中心−周辺領域サイズ・バランス値の範囲が、４０°から７５°の範囲にわたって前記近用領域の角度サイズを変えることによって提供される、請求項１に記載の累進めがねレンズ要素の列。
【請求項６】
レンズ装用者の少なくとも１つのライフスタイル・パラメータが、
ａ．近用視力必要度、
ｂ．動体視力必要度、
ｃ．コンピュータ使用頻度、及び
ｄ．装用者の仕事及び／又は余暇のパターン
の値又はカテゴリーの範囲を含む、請求項１に記載の累進めがねレンズ要素の列。
【請求項７】
前記レンズ装用者の少なくとも１つのライフスタイル・パラメータのそれぞれの値又はカテゴリーの範囲が、レンズ装用者の集団のスコアの各範囲を含む、請求項６に記載の累進めがねレンズ要素の列。
【請求項８】
各累進めがねレンズ要素の前記遠用−近用領域サイズ・バランスが、レンズ装用者の近用視力必要度の範囲からの近用視力必要度に起因又は関連した各値又はカテゴリーを有する、請求項７に記載の累進めがねレンズ要素の列。
【請求項９】
レンズ装用者の少なくとも１つのバイオメトリック・パラメータの値又はカテゴリーが、レンズ装用者の、
ａ．単眼瞳孔間距離、
ｂ．読書距離、及び
ｃ．読書作業中の装用者の頭部動作及び／又は眼球動作カテゴリーを含む装用者の視認行動パターン、
のいずれか１つの値又はカテゴリーを含む、請求項１に記載の累進めがねレンズ要素の列。
【請求項１０】
前記レンズ装用者の少なくとも１つのバイオメトリック・パラメータのそれぞれの値又はカテゴリーの範囲がスコアの各範囲を含む、請求項９に記載の累進めがねレンズ要素の列。
【請求項１１】
各累進めがねレンズ要素の前記累進帯長が、レンズ装用者の集団で得られたレンズ装用者の眼球動作スコアの範囲からのレンズ装用者の眼球動作スコアに起因又は関連する各値又は特性を有する、請求項１０に記載の累進めがねレンズ要素の列。
【請求項１２】
各累進めがねレンズ要素の前記中心領域サイズ・バランスが、レンズ装用者の集団のレンズ装用者の頭部動作及び／又は眼球動作スコアの範囲からの頭部動作及び／又は眼球動作スコアに起因又は関連する各値又は特性を有する、請求項１０に記載の累進めがねレンズ要素の列。
【請求項１３】
各累進めがねレンズ要素の前記近用基準点挿入が、レンズ装用者の集団の読書距離スコアの範囲からの読書距離スコアに起因又は関連する各値又は特性を有する、請求項１０に記載の累進めがねレンズ要素の列。
【請求項１４】
前記列に含まれる各累進めがねレンズ要素が実質的に同一の装着位置（ＰＯＷ）特性を有する、請求項１に記載の累進めがねレンズ要素の列。
【請求項１５】
前記装着位置特性が、
ａ．角膜頂点間距離、
ｂ．フレーム前傾角、及び
ｃ．フレーム・ラップ角のいずれか１つを含む、請求項１４に記載の累進めがねレンズ要素の列。
【請求項１６】
前記列に含まれる各累進めがねレンズ要素が、２つのパラメータの少なくとも１つが、レンズ装用者が装着する累進めがねレンズ要素を支持するためのフレームのサイズ及び／又は形状情報に起因する少なくとも１つの値又は特性を有する累進レンズ設計を含む、請求項１に記載の累進めがねレンズ要素の列。
【請求項１７】
実質的に同一の遠用視力の視力処方を有する累進めがねレンズ要素の系であって、前記累進めがねレンズ要素が、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域と前記近用領域を連結する累進帯とを含み、前記系が、
各列が請求項１に記載の累進めがねレンズ要素の列である、累進めがねレンズ要素の複数の列を含み、系内の異なる列からの累進めがねレンズ要素は異なる加入度を有する、累進めがねレンズ要素の系。
【請求項１８】
系内の複数の列を組み合わせて加入度の範囲を提供するように、同一の系内の累進めがねレンズ要素の各列間の加入度の差異を増分的に変化させる、請求項１７に記載の累進めがねレンズ要素の系。
【請求項１９】
前記加入度が０．２５Ｄの増分で０．７５Ｄから３．５Ｄの範囲にわたって増分的に変化する、請求項１８に記載の累進めがねレンズ要素の系。
【請求項２０】
累進めがねレンズ要素のマトリックスであって、前記累進めがねレンズ要素が、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域と前記近用領域を連結する累進帯とを含み、前記マトリックスが、
累進めがねレンズ要素の複数の系を含み、各系は、各列が請求項１に記載の累進めがねレンズ要素の列である、累進めがねレンズ要素の１つ又は複数の列を含み、系内の異なる列からの累進めがねレンズ要素は異なる加入度を有する、累進めがねレンズ要素のマトリックス。
【請求項２１】
レンズ装用者に累進めがねレンズ要素を処方する方法であって、
少なくとも１つのライフスタイル・パラメータ及び少なくとも１つのバイオメトリック・パラメータを含む、レンズ装用者の少なくとも２つのパラメータの値又はカテゴリーを入手する段階と、
請求項１、６、９、１４、１５、あるいは１６のいずれか１つに記載の累進めがねレンズ要素の列にアクセスする段階と、
取得されたレンズ装用者の値又はカテゴリーと関連する値又は特性を備えた２つのレンズ設計パラメータを有する累進レンズ設計を列から検索する段階とを含む方法。
【請求項２２】
レンズ装用者に累進めがねレンズ設計を処方するシステムであって、
プロセッサと、
前記プロセッサによって実行するための命令でプログラムされたメモリと、
ユーザ入力デバイスと、
ユーザ出力デバイスとを含み、
前記命令は前記プロセッサによって、
少なくとも１つのライフスタイル・パラメータ及び少なくとも１つのバイオメトリック・パラメータを含む少なくとも２つのレンズ装用者のパラメータの値又はカテゴリーを、前記ユーザ入力デバイスを通して受け入れ、
請求項１に記載の累進めがねレンズ要素の列へのアクセスを入手し、
入力されたレンズ装用者のライフスタイル・パラメータ及びバイオメトリック・パラメータの値又はカテゴリーに起因又は関連する２つのパラメータのそれぞれの値を含む累進レンズ設計を有する累進レンズ設計を列から検索し、
選択された累進レンズ設計を前記ユーザ出力デバイスを通して出力するように実行可能であるシステム。
【請求項２３】
請求項１に記載の累進めがねレンズ要素の列のコンピュータ読み取り可能なデータを保存するコンピュータ読み取り可能な媒体。
【請求項２４】
前記遠用領域の角度サイズは、標準加入度の４分の１の光学屈折値と等しい無限対物距離の輪郭線に合わせて光線トレースした二乗平均平方根（ＲＭＳ）ぼやけに適合させた双曲線の交差漸近線の間の角度である、請求項１に記載の累進めがねレンズ要素の列。
【請求項２５】
前記近用領域の角度サイズは、特定の読書距離に合わせて光線トレースした標準加入度の４分の１の光学屈折値と等しい輪郭線の二乗平均平方根（ＲＭＳ）ぼやけに適合させた双曲線の交差漸近線の間の角度である、請求項１に記載の累進めがねレンズ要素の列。